(57)【要約】【課題】点検時において、利便性の高い支援を行うこと。【解決手段】点検支援装置３は、点検箇所を一意に識別する固有情報を示す第１固有情報と当該点検箇所の点検結果とが関連付けられたテーブルを記録する第１記録部３２と、ユーザ操作を受け付ける操作受付部３４と、ユーザ操作に応じて、点検箇所の固有情報を示す第２固有情報と、当該点検箇所の点検開始時刻及び点検終了時刻を示す第２時刻情報とを特定する特定部３１と、テーブルを参照し、第２固有情報と同一の第２固有情報が当該テーブルに登録されているか否かを判定する判定部３１と、判定部３１にて第２固有情報と同一の第１固有情報がテーブルに登録されていると判定された場合に、当該第１固有情報に対して第２時刻情報を関連付けて記録するテーブル管理部３１とを備える。【選択図】図３
2020173866.tif 000002
【特許請求の範囲】
【請求項１】
点検箇所を一意に識別する固有情報を示す第１固有情報と当該点検箇所の点検結果とが関連付けられたテーブルを記録する第１記録部と、
ユーザ操作を受け付ける操作受付部と、
前記ユーザ操作に応じて、点検箇所の前記固有情報を示す第２固有情報と、当該点検箇所の点検開始時刻及び点検終了時刻を示す第２時刻情報とを特定する特定部と、
前記テーブルを参照し、前記第２固有情報と同一の前記第１固有情報が当該テーブルに登録されているか否かを判定する判定部と、
前記判定部にて前記第２固有情報と同一の前記第１固有情報が前記テーブルに登録されていると判定された場合に、当該第１固有情報に対して前記第２時刻情報を関連付けて記録するテーブル管理部とを備える点検支援装置。
【請求項２】
前記テーブルに登録されている前記点検開始時刻及び前記点検終了時刻に基づいて点検箇所の点検に要した総点検時間を算出するとともに、当該総点検時間と基準時間とを比較し、当該比較した結果に基づいて点検を支援するための点検支援情報を報知部に報知させる報知制御部をさらに備える請求項１に記載の点検支援装置。
【請求項３】
前記テーブルには、
１つの点検施設に対して割り当てられた互いに異なる複数の点検箇所にそれぞれ対応する複数の前記固有情報が登録され、
前記報知制御部は、
前記複数の固有情報毎に前記総点検時間をそれぞれ算出するとともに、当該各総点検時間と基準時間とをそれぞれ比較し、当該比較した結果に基づいて前記点検支援情報を前記報知部に報知させる請求項２に記載の点検支援装置。
【請求項４】
前記テーブル管理部は、
前記判定部にて前記第２固有情報と同一の前記第１固有情報が前記テーブルに登録されていないと判定された場合に、前記第２固有情報と前記第２時刻情報とを関連付けて新たに前記テーブルに登録する請求項１〜３のいずれか一つに記載の点検支援装置。
【請求項５】
複数の名称画像、複数の点検開始ボタン、及び複数の点検終了ボタンが配置された選択画面を表示する表示部をさらに備え、
前記複数の名称画像は、
１つの点検施設に対して割り当てられた互いに異なる複数の点検箇所の名称をそれぞれ示す画像であり、
前記複数の点検開始ボタンは、
前記複数の点検箇所毎にそれぞれ関連付けられ、当該点検箇所の点検開始の選択を行うボタンであり、
前記複数の点検終了ボタンは、
前記複数の点検箇所毎にそれぞれ関連付けられ、当該点検箇所の点検終了の選択を行うボタンであり、
前記操作受付部は、
前記複数の点検開始ボタンのいずれかの点検開始ボタンを選択する第１操作と、前記複数の点検終了ボタンのいずれかの点検終了ボタンを選択する第２操作とをそれぞれ受け付け、
前記特定部は、
前記第１操作に応じて、選択された前記点検開始ボタンに関連付けられた点検箇所の前記第２固有情報と、当該点検箇所の点検開始時刻とを特定し、
前記第２操作に応じて、選択された前記点検終了ボタンに関連付けられた点検箇所の前記第２固有情報と、当該点検箇所の点検終了時刻とを特定する請求項１〜４のいずれか一つに記載の点検支援装置。
【請求項６】
点検箇所を撮影して撮影画像を生成する撮影部と、
前記撮影画像と前記撮影部による撮影時刻とが関連付けられて記録される第２記録部とをさらに備え、
前記テーブル管理部は、
前記テーブルに登録されている前記点検開始時刻及び前記点検終了時刻と、前記第２記録部に記録されている前記撮影時刻とに基づいて、前記第１固有情報と前記撮影画像とを関連付ける請求項１〜５のいずれか一つに記載の点検支援装置。
【請求項７】
撮影装置と、前記撮影装置との間で通信可能に接続される請求項１〜５のいずれか一つに記載の点検支援装置とを備える点検支援システムであって、
前記撮影装置は、
点検箇所を撮影して撮影画像を生成する撮影部と、
前記撮影画像と前記撮影部による撮影時刻とが関連付けられて記録される第２記録部とを備え、
前記テーブル管理部は、
前記テーブルに登録されている前記点検開始時刻及び前記点検終了時刻と、前記第２記録部に記録されている前記撮影時刻とに基づいて、前記第１固有情報と前記撮影画像とを関連付ける点検支援システム。
【請求項８】
撮影装置と、請求項１〜５のいずれか一つに記載の点検支援装置と、前記撮影装置及び前記点検支援装置との間で通信可能に接続される作業端末装置とを備える点検支援システムであって、
前記撮影装置は、
点検箇所を撮影して撮影画像を生成する撮影部と、
前記撮影画像と前記撮影部による撮影時刻とが関連付けられて記録される第２記録部とを備え、
前記作業端末装置は、
前記テーブルに登録されている前記点検開始時刻及び前記点検終了時刻と、前記第２記録部に記録されている前記撮影時刻とに基づいて、前記第１固有情報と前記撮影画像とを関連付ける関連付け部を備える点検支援システム。
【請求項９】
点検支援装置のプロセッサが実行する点検支援方法であって、
ユーザ操作に応じて、点検箇所を一意に識別する固有情報を示す第２固有情報と、当該点検箇所の点検開始時刻及び点検終了時刻を示す第２時刻情報とを特定し、
点検箇所の前記固有情報を示す第１固有情報と当該点検箇所の点検結果とが関連付けられたテーブルを参照し、前記第２固有情報と同一の前記第１固有情報が当該テーブルに登録されているか否かを判定し、
前記第２固有情報と同一の前記第１固有情報が前記テーブルに登録されていると判定した場合に、当該第１固有情報に対して前記第２時刻情報を関連付けて記録する点検支援方法。
【請求項１０】
点検支援装置のプロセッサに実行させる点検支援プログラムであって、
当該点検支援プログラムは、前記プロセッサに以下の実行を指示する：
ユーザ操作に応じて、点検箇所を一意に識別する固有情報を示す第２固有情報と、当該点検箇所の点検開始時刻及び点検終了時刻を示す第２時刻情報とを特定し、
点検箇所の前記固有情報を示す第１固有情報と当該点検箇所の点検結果とが関連付けられたテーブルを参照し、前記第２固有情報と同一の前記第１固有情報が当該テーブルに登録されているか否かを判定し、
前記第２固有情報と同一の前記第１固有情報が前記テーブルに登録されていると判定した場合に、当該第１固有情報に対して前記第２時刻情報を関連付けて記録する点検支援プログラム。
【発明の詳細な説明】
【技術分野】
【０００１】
本発明は、点検支援装置、点検支援システム、点検支援方法、及び点検支援プログラムに関する。
【背景技術】
【０００２】
従来、標識や道路照明等の道路附属物の点検を支援する点検支援システムが知られている（例えば、特許文献１参照）。
特許文献１に記載の点検支援システムでは、点検箇所の撮影と当該点検箇所の点検結果の入力とを互いに独立した２台の装置（撮影装置、点検端末）を用いて行っている。
撮影装置は、点検箇所を撮影して撮影画像を生成するとともに、当該撮影画像と撮影した撮影時刻とを関連付けて撮影データとして記録する。
点検端末は、点検結果が入力されるとともに、当該点検結果と点検箇所の点検開始時刻及び点検終了時刻とを関連付けて記録する。そして、点検端末は、撮影装置から撮影データを受信し、点検開始時刻及び点検終了時刻と当該撮影データに含まれる撮影時刻とに基づいて、撮影画像と当該撮影画像に該当する点検箇所の点検結果とを互いに関連付ける。これにより、作業者は、１枚１枚の撮影画像を確認しながら当該撮影画像と当該撮影画像に該当する点検箇所の点検結果とを関連付ける必要がない。すなわち、撮影画像と当該撮影画像に該当する点検箇所の点検結果とが載せられた損傷記録票（報告書）を効率的に作成することができる。
【先行技術文献】
【特許文献】
【０００３】
【特許文献１】特開２０１７−２２８２４９号公報
【発明の概要】
【発明が解決しようとする課題】
【０００４】
ところで、道路附属物の点検においては、それぞれの道路附属物に対して支柱本体、支柱継手部、及び支柱分岐部等の点検箇所が多数、割り当てられている。このため、作業者は、多数の点検箇所を順次、点検した場合でも、いずれかの点検箇所の撮影を忘れる、あるいは、いずれかの点検箇所の撮影が不十分になる場合がある。このような場合には、作業者は、再度、該当する点検箇所を追加で撮影する。そして、利便性を向上させるためには、追加で撮影した撮影画像についても、人に作業させることなく、当該追加で撮影した撮影画像と当該撮影画像に該当する点検箇所における既に入力済みの点検結果及び既に撮影済みの撮影画像とを関連付け、１つの損傷記録票として纏めることが好ましい。すなわち、当該入力済みの点検結果と当該撮影済みの撮影画像とが載せられた損傷記録票に対して当該追加で撮影した撮影画像を追加する追加機能を有していることが好ましい。
しかしながら、特許文献１に記載の点検支援システムでは、上述した追加機能を有しておらず、利便性の高い支援を行うことが難しい、という問題がある。
【０００５】
本発明は、上記に鑑みてなされたものであって、点検時において、利便性の高い支援を行うことができる点検支援装置、点検支援システム、点検支援方法、及び点検支援プログラムを提供することを目的とする。
【課題を解決するための手段】
【０００６】
上述した課題を解決し、目的を達成するために、本発明に係る点検支援装置は、点検箇所を一意に識別する固有情報を示す第１固有情報と当該点検箇所の点検結果とが関連付けられたテーブルを記録する第１記録部と、ユーザ操作を受け付ける操作受付部と、前記ユーザ操作に応じて、点検箇所の前記固有情報を示す第２固有情報と、当該点検箇所の点検開始時刻及び点検終了時刻を示す第２時刻情報とを特定する特定部と、前記テーブルを参照し、前記第２固有情報と同一の前記第１固有情報が当該テーブルに登録されているか否かを判定する判定部と、前記判定部にて前記第２固有情報と同一の前記第１固有情報が前記テーブルに登録されていると判定された場合に、当該第１固有情報に対して前記第２時刻情報を関連付けて記録するテーブル管理部とを備える。
【０００７】
本発明に係る点検支援装置では、上記発明において、前記テーブルに登録されている前記点検開始時刻及び前記点検終了時刻に基づいて点検箇所の点検に要した総点検時間を算出するとともに、当該総点検時間と基準時間とを比較し、当該比較した結果に基づいて点検を支援するための点検支援情報を報知部に報知させる報知制御部をさらに備える。
【０００８】
本発明に係る点検支援装置では、上記発明において、前記テーブルには、１つの点検施設に対して割り当てられた互いに異なる複数の点検箇所にそれぞれ対応する複数の前記固有情報が登録され、前記報知制御部は、前記複数の固有情報毎に前記総点検時間をそれぞれ算出するとともに、当該各総点検時間と基準時間とをそれぞれ比較し、当該比較した結果に基づいて前記点検支援情報を前記報知部に報知させる。
【０００９】
本発明に係る点検支援装置では、上記発明において、前記テーブル管理部は、前記判定部にて前記第２固有情報と同一の前記第１固有情報が前記テーブルに登録されていないと判定された場合に、前記第２固有情報と前記第２時刻情報とを関連付けて新たに前記テーブルに登録する。
【００１０】
本発明に係る点検支援装置では、上記発明において、複数の名称画像、複数の点検開始ボタン、及び複数の点検終了ボタンが配置された選択画面を表示する表示部をさらに備え、前記複数の名称画像は、１つの点検施設に対して割り当てられた互いに異なる複数の点検箇所の名称をそれぞれ示す画像であり、前記複数の点検開始ボタンは、前記複数の点検箇所毎にそれぞれ関連付けられ、当該点検箇所の点検開始の選択を行うボタンであり、前記複数の点検終了ボタンは、前記複数の点検箇所毎にそれぞれ関連付けられ、当該点検箇所の点検終了の選択を行うボタンであり、前記操作受付部は、前記複数の点検開始ボタンのいずれかの点検開始ボタンを選択する第１操作と、前記複数の点検終了ボタンのいずれかの点検終了ボタンを選択する第２操作とをそれぞれ受け付け、前記特定部は、前記第１操作に応じて、選択された前記点検開始ボタンに関連付けられた点検箇所の前記第２固有情報と、当該点検箇所の点検開始時刻とを特定し、前記第２操作に応じて、選択された前記点検終了ボタンに関連付けられた点検箇所の前記第２固有情報と、当該点検箇所の点検終了時刻とを特定する。
【００１１】
本発明に係る点検支援装置では、上記発明において、点検箇所を撮影して撮影画像を生成する撮影部と、前記撮影画像と前記撮影部による撮影時刻とが関連付けられて記録される第２記録部とをさらに備え、前記テーブル管理部は、前記テーブルに登録されている前記点検開始時刻及び前記点検終了時刻と、前記第２記録部に記録されている前記撮影時刻とに基づいて、前記第１固有情報と前記撮影画像とを関連付ける。
【００１２】
本発明に係る点検支援システムは、撮影装置と、前記撮影装置との間で通信可能に接続される上述した点検支援装置とを備える点検支援システムであって、前記撮影装置は、点検箇所を撮影して撮影画像を生成する撮影部と、前記撮影画像と前記撮影部による撮影時刻とが関連付けられて記録される第２記録部とを備え、前記テーブル管理部は、前記テーブルに登録されている前記点検開始時刻及び前記点検終了時刻と、前記第２記録部に記録されている前記撮影時刻とに基づいて、前記第１固有情報と前記撮影画像とを関連付ける。
【００１３】
本発明に係る点検支援システムは、撮影装置と、上述した点検支援装置と、前記撮影装置及び前記点検支援装置との間で通信可能に接続される作業端末装置とを備える点検支援システムであって、前記撮影装置は、点検箇所を撮影して撮影画像を生成する撮影部と、前記撮影画像と前記撮影部による撮影時刻とが関連付けられて記録される第２記録部とを備え、前記作業端末装置は、前記テーブルに登録されている前記点検開始時刻及び前記点検終了時刻と、前記第２記録部に記録されている前記撮影時刻とに基づいて、前記第１固有情報と前記撮影画像とを関連付ける関連付け部とを備える。
【００１４】
本発明に係る点検支援方法は、点検支援装置のプロセッサが実行する点検支援方法であって、ユーザ操作に応じて、点検箇所を一意に識別する固有情報を示す第２固有情報と、当該点検箇所の点検開始時刻及び点検終了時刻を示す第２時刻情報とを特定し、点検箇所の前記固有情報を示す第１固有情報と当該点検箇所の点検結果とが関連付けられたテーブルを参照し、前記第２固有情報と同一の前記第１固有情報が当該テーブルに登録されているか否かを判定し、前記第２固有情報と同一の前記第１固有情報が前記テーブルに登録されていると判定した場合に、当該第１固有情報に対して前記第２時刻情報を関連付けて記録する。
【００１５】
本発明に係る点検支援プログラムは、点検支援装置のプロセッサに実行させる点検支援プログラムであって、当該点検支援プログラムは、前記プロセッサに以下の実行を指示する：ユーザ操作に応じて、点検箇所を一意に識別する固有情報を示す第２固有情報と、当該点検箇所の点検開始時刻及び点検終了時刻を示す第２時刻情報とを特定し、点検箇所の前記固有情報を示す第１固有情報と当該点検箇所の点検結果とが関連付けられた点検関連情報が登録されるテーブルを参照し、前記第２固有情報と同一の前記第１固有情報が当該テーブルに登録されているか否かを判定し、前記第２固有情報と同一の前記第１固有情報が前記テーブルに登録されていると判定した場合に、当該第１固有情報に対して前記第２時刻情報を関連付けて記録する。
【発明の効果】
【００１６】
本発明に係る点検支援装置、点検支援システム、点検支援方法、及び点検支援プログラムによれば、点検時において、利便性の高い支援を行うことができる。
【図面の簡単な説明】
【００１７】
【図１】図１は、実施の形態１に係る点検支援システムを示す図である。
【図２】図２は、撮影装置の構成を示すブロック図である。
【図３】図３は、点検支援装置の構成を示すブロック図である。
【図４】図４は、撮影装置の動作を示すフローチャートである。
【図５】図５は、点検支援装置の第１動作を示すフローチャートである。
【図６】図６は、ステップＳ２Ａを説明する図である。
【図７】図７は、ステップＳ２Ａを説明する図である。
【図８】図８は、点検箇所選択画面の一例を示す図である。
【図９】図９は、テーブルの一例を示す図である。
【図１０】図１０は、点検支援装置の第２動作を示すフローチャートである。
【図１１】図１１は、ステップＳ２Ｎを説明する図である。
【図１２】図１２は、損傷記録票の一例を示す図である。
【図１３】図１３は、実施の形態２に係る第１動作を示すフローチャートである。
【図１４】図１４は、ステップＳ２Ｑでの比較結果の一例を示す図である。
【図１５】図１５は、点検支援情報の一例を示す図である。
【図１６】図１６は、実施の形態３に係る点検支援システムを示す図である。
【図１７】図１７は、作業端末装置の構成を示すブロック図である。
【図１８】図１８は、作業端末装置の動作を示すフローチャートである。
【発明を実施するための形態】
【００１８】
以下に、図面を参照して、本発明を実施するための形態（以下、実施の形態）について説明する。なお、以下に説明する実施の形態によって本発明が限定されるものではない。さらに、図面の記載において、同一の部分には同一の符号を付している。
【００１９】
（実施の形態１）
〔点検支援システムの概略構成〕
図１は、本実施の形態１に係る点検支援システム１を示す図である。
点検支援システム１は、標識や道路照明等の道路附属物（本発明に係る点検施設に相当）の点検を支援するシステムである。本実施の形態１では、点検支援システム１は、図１に示すように、点検箇所の撮影と当該点検箇所の点検結果の入力とを互いに独立した撮影装置２及び点検支援装置３の２台を用いて行うシステムである。すなわち、道路附属物の点検を行うにあたって、当該点検を行う作業者は、点検支援装置３を操作する作業者（以下、第１作業者と記載）と、撮影装置２を操作する作業者（以下、第２作業者と記載）との複数人で構成される。なお、第１作業者と第２作業者とは、同一人物であってもよい。
また、本実施の形態１では、点検支援システム１は、撮影装置２を１台のみ備えた構成としているが、これに限らず、撮影装置２を複数台備えた構成としても構わない。
【００２０】
〔撮影装置の構成〕
図２は、撮影装置２の構成を示すブロック図である。
撮影装置２は、例えば、デジタルカメラ等で構成されている。この撮影装置２は、図２に示すように、第２制御部２１と、第２記録部２２と、第２通信部２３と、第２入力部２４と、第２表示部２５と、第２撮影部２６とを備え、当該各部２１〜２６がバス２７を介して接続された構成である。
【００２１】
第２制御部２１は、ＣＰＵ（Central  Processing  Unit）やＦＰＧＡ（Field-Programmable  Gate  Array）等で構成され、第２記録部２２に記録されたプログラムにしたがって、撮影装置２全体の動作を制御する。なお、第２制御部２１の機能については、後述する「撮影装置の動作」において説明する。
第２記録部２２は、第２制御部２１が実行するプログラム、当該第２制御部２１の処理に必要な情報、当該第２制御部２１が処理した情報等を記録する。
【００２２】
第２通信部２３は、第２制御部２１による制御の下、点検支援装置３との間で各種データの無線通信を所定のプロトコルに従って行う。なお、本実施の形態１では、撮影装置２と点検支援装置３との間での通信は、無線通信を行うものとして説明するが、これに限らず、有線通信により行われてもよい。また、無線通信を行う場合には、例えば、ブルートゥース（登録商標）を利用する。一方、有線通信を行う場合には、例えば、ＵＳＢ（登録商標）を利用する。
第２入力部２４は、ユーザ操作を受け付けるボタン、スイッチ、タッチパネル等で構成され、当該ユーザ操作に応じた操作信号を第２制御部２１に出力する。
第２表示部２５は、液晶または有機ＥＬ（Electro  Luminescence）等を用いた表示ディスプレイで構成され、第２制御部２１による制御の下、種々の画像を表示する。なお、第２入力部２４の機能の一部または全部がタッチパネルとして第２表示部２５の表面に配置されてもよい。
【００２３】
第２撮影部２６は、本発明に係る撮影部に相当する。この第２撮影部２６は、具体的な図示は省略したが、レンズユニットと、撮像素子と、信号処理部とを備える。当該レンズユニットは、被写体像を取り込んで当該撮像素子の撮像面に結像する。当該撮像素子は、当該レンズユニットが結像した被写体像を受光して電気信号に変換するＣＣＤ（Charge  Coupled  Device）またはＣＭＯＳ（Complementary  Metal  Oxide  Semiconductor）等で構成されている。当該信号処理部は、当該撮像素子からの電気信号に対して信号処理（例えばＡ／Ｄ変換等）を行って画像データ（本発明に係る撮影画像に相当、以下、撮影画像と記載）を出力する。
【００２４】
〔点検支援装置の構成〕
図３は、点検支援装置３の構成を示すブロック図である。
点検支援装置３は、例えば、タブレット端末、スマートフォン、ノートＰＣ（Personal  Computer）、ウェアラブルデバイス（例えば、眼鏡型あるいはヘルメット型のヘッドマウントディスプレイ）等で構成されている。この点検支援装置３は、図３に示すように、第１制御部３１と、第１記録部３２と、第１通信部３３と、第１入力部３４と、第１表示部３５と、第１撮影部３６とを備え、当該各部３１〜３６がバス３７を介して接続された構成である。
【００２５】
第１制御部３１は、本発明に係るプロセッサに相当する。この第１制御部３１は、ＣＰＵやＦＰＧＡ等で構成され、第１記録部３２に記録されたプログラム（本発明に係る点検支援プログラムを含む）にしたがって、点検支援装置３全体の動作を制御する。ここで、第１制御部３１は、本発明に係る特定部、判定部、テーブル管理部、及び報知制御部としての機能を有する。なお、第１制御部３１の機能については、後述する「点検支援装置の動作」において説明する。
第１記録部３２は、第１制御部３１が実行するプログラム（本発明に係る点検支援プログラムを含む）、当該第１制御部３１の処理に必要な情報、当該第１制御部３１が処理した情報等を記録する。
【００２６】
第１通信部３３は、第１制御部３１による制御の下、撮影装置２（第２通信部２３）との間で各種データの無線通信を所定のプロトコルに従って行う。なお、本実施の形態１では、撮影装置２と点検支援装置３との間での通信は、無線通信を行うものとして説明するが、これに限らず、有線通信により行われてもよい。
第１入力部３４は、本発明に係る操作受付部に相当する。この第１入力部３４は、ユーザ操作を受け付けるボタン、スイッチ、タッチパネル等で構成され、当該ユーザ操作に応じた操作信号を第１制御部３１に出力する。
第１表示部３５は、本発明に係る報知部及び表示部に相当する。この第１表示部３５は、液晶または有機ＥＬ等を用いた表示ディスプレイで構成され、第１制御部３１による制御の下、種々の画像を表示する。なお、第１入力部３４の機能の一部または全部がタッチパネルとして第１表示部３５の表面に配置されてもよい。
【００２７】
第１撮影部３６は、具体的な図示は省略したが、レンズユニットと、撮像素子と、信号処理部とを備える。当該レンズユニットは、被写体像を取り込んで当該撮像素子の撮像面に結像する。当該撮像素子は、当該レンズユニットが結像した被写体像を受光して電気信号に変換するＣＣＤまたはＣＭＯＳ等で構成されている。当該信号処理部は、当該撮像素子からの電気信号に対して信号処理（例えばＡ／Ｄ変換等）を行って画像データを出力する。
【００２８】
〔点検支援システムの動作〕
次に、上述した点検支援システム１の動作について説明する。以下では、説明の便宜上、撮影装置２の動作、及び点検支援装置３の動作を順に説明する。
【００２９】
〔撮影装置の動作〕
図４は、撮影装置２の動作を示すフローチャートである。
先ず、第２制御部２１は、第２作業者による第２入力部２４への撮影操作が有ったか否かを常時、監視する（ステップＳ１Ａ）。
撮影操作が有ったと判断した場合（ステップＳ１Ａ：Ｙｅｓ）には、第２制御部２１は、第２撮影部２６の動作を制御する。そして、第２撮影部２６は、点検箇所に応じた撮影画像を生成する（ステップＳ１Ｂ）。なお、撮影操作が無い場合（ステップＳ１Ａ：Ｎｏ）には、第２制御部２１は、ステップＳ１Ａを繰り返す。
ステップＳ１Ｂの後、第２制御部２１は、ステップＳ１Ｂで生成された撮影画像と撮影時刻（例えばステップＳ１で撮影操作が有った時刻）とを関連付けて撮影データとして第２記録部２２に記録する（ステップＳ１Ｃ）。この後、第２制御部２１は、ステップＳ１Ａに戻る。
【００３０】
〔点検支援装置の動作〕
以下では、点検支援装置３の動作として、第１動作と第２動作とを順に説明する。
【００３１】
〔点検支援装置の第１動作〕
先ず、点検支援装置３の第１動作について説明する。
図５は、点検支援装置３の第１動作を示すフローチャートである。
第１制御部３１は、第１表示部３５の動作を制御し、当該第１表示部３５に施設選択画面Ｆ１（図７参照）を表示させる（ステップＳ２Ａ）。
図６及び図７は、ステップＳ２Ａを説明する図である。具体的に、図６は、点検データＤ１の一例を示す図である。図７は、施設選択画面Ｆ１の一例を示す図である。
ここで、第１記録部３２には、点検対象となる道路附属物の点検データＤ１（図６）が記録されている。
点検データＤ１には、図６に示すように、複数の道路附属物毎に、当該道路附属物を一意に識別する道路附属物固有情報と、施設諸元データＤ１１と、点検結果票データＤ１２と、損傷記録票データＤ１３とが関連付けられて登録されている。
【００３２】
施設諸元データＤ１１には、道路附属物固有情報によって特定される１つの道路附属物の種別情報、位置情報、構造情報、設置環境情報、及び点検情報等の道路附属物の諸元情報が登録されている。
種別情報は、道路附属物の種別（道路標識／道路情報提供装置／道路照明施設／・・・）、道路附属物の管理者、道路附属物の管理番号等の情報を含む。
位置情報は、道路附属物の代表箇所の緯度・経度、道路附属物が設置されている路線の道路種別（一般国道／主要地方道／・・・）、道路附属物が設置されている路線名（国道○○号等）、道路附属物が設置されている路線の上り・下りの情報、及び道路附属物の所在地（○○県○○市○○区１−１等）等の情報を含む。
【００３３】
構造情報は、道路附属物の支柱形式、表面処理形式、及び支柱基部リブ形状等の道路附属物の構造に関する情報を含む。
設置環境情報は、道路附属物の設置環境（一般部／橋梁部／トンネル／・・・）、海岸からの距離、融雪剤散布区間か否か、風規制実施区間か否か、及び防雪対策実施区間か否か等の道路附属物の設置環境に関する情報を含む。
点検情報は、点検の種別（初期点検／定期点検／臨時点検／・・・）、点検方法（近接目視／外観目視／・・・）、点検年月日、及び前回点検年月日等の情報を含む。
また、施設諸元データＤ１１には、道路附属物の周辺の地図データや道路附属物全体の全体撮影画像等が登録されている。
【００３４】
点検結果票データＤ１２には、道路附属物固有情報によって特定される１つの道路附属物全体の点検結果の情報が登録される。ここで、道路附属物は、支柱であれば、支柱本体や支柱基部等の複数の部材で構成されている。また、当該部材が支柱本体であれば、当該部材には、支柱本体、支柱継手部、及び支柱分岐部等の複数の点検箇所がそれぞれ割り当てられている。そして、点検結果票データＤ１２には、道路附属物を構成する各部材それぞれを一意に識別する複数の部材固有情報と、当該各部材毎に割り当てられた複数の点検箇所それぞれを一意に識別する複数の点検箇所固有情報とが予め登録されている。また、点検結果票データＤ１２には、後述するステップＳ２Ｈにおいて、当該複数の点検箇所固有情報にそれぞれ関連付けて、当該複数の点検箇所の点検の対象有無（有／無）、当該複数の点検箇所の点検状況（実施済／未実施）、当該複数の点検箇所の損傷程度の評価区分（損傷が認められない／損傷が認められる／損傷が大きい）、当該複数の点検箇所の対策の要否（要／否）、当該複数の点検箇所の健全性の診断区分（健全／予防保全段階／早期措置段階／緊急措置段階）等の点検結果情報が登録される。また、点検結果票データＤ１２には、道路附属物における全ての点検箇所の健全性の診断結果等を踏まえ、当該道路附属物全体としての健全性の診断区分等の情報も登録される。
【００３５】
損傷記録票データＤ１３には、道路附属物固有情報によって特定される１つの道路附属物を構成する部材毎の情報（以下、部材情報と記載）がそれぞれ登録される。当該部材情報には、当該部材の部材固有情報が予め登録されている。また、当該部材情報には、後述するステップＳ２Ｏにおいて、当該部材固有情報に関連付けて、当該部材に対して割り当てられた複数の点検箇所の損傷程度の評価結果を踏まえた部材全体としての損傷程度の評価結果、及び当該部材の措置内容等の情報と、当該部材に対して割り当てられた複数の点検箇所を撮影した撮影画像とが登録される。
【００３６】
なお、１つの道路附属物の道路附属物固有情報と、当該道路附属物を構成する部材の部材固有情報と、当該部材に割り当てられた点検箇所の点検箇所固有情報とは、相互に関連性を有する情報である。例えば、点検箇所固有情報から、当該点検固有情報に基づく点検箇所を含む部材の部材固有情報、及び当該部材を含む道路附属物の道路附属物情報を導き出すことが可能である。
【００３７】
ステップＳ２Ａにおいて、第１制御部３１は、第１記録部３２に記録された点検データＤ１に含まれる複数の道路附属物に応じた各施設諸元データＤ１１に基づいて、第１作業者に点検対象となる道路附属物の選択を促す施設選択画面Ｆ１（図７）を第１表示部３５に表示させる。
具体的に、施設選択画面Ｆ１は、複数の道路附属物の情報である各道路附属物情報Ｆ１０ａ，Ｆ１０ｂ，・・・を一覧表示した画面である。道路附属物情報Ｆ１０ａ，Ｆ１０ｂ，・・・は、例えば、図７に示すように、対応する道路附属物に応じた施設諸元データＤ１１に含まれる道路附属物の「種別」及び「管理番号」等の諸元情報Ｆ１１ａ，Ｆ１１ｂ，・・・と、当該施設諸元データＤ１１に含まれる道路附属物全体の全体撮影画像Ｆ１２ａ，Ｆ１２ｂ，・・・とが載せられた情報である。
そして、第１作業者は、ステップＳ２Ａで表示された施設選択画面Ｆ１を確認することにより、第１入力部３４に対して点検対象となる道路附属物を選択する施設選択操作を行うことが可能となる。当該施設選択操作は、施設選択画面Ｆ１内における複数の道路附属物情報Ｆ１０ａ，Ｆ１０ｂ，・・・のうち、点検対象となる道路附属物に応じた道路附属物情報を選択する操作である。
【００３８】
ステップＳ２Ａの後、第１制御部３１は、第１作業者による第１入力部３４への施設選択操作が有ったか否かを常時、監視する（ステップＳ２Ｂ）。
施設選択操作が有ったと判断した場合（ステップＳ２Ｂ：Ｙｅｓ）には、第１制御部３１は、第１表示部３５の動作を制御し、当該第１表示部３５に施設選択操作に応じた点検箇所選択画面Ｆ２（図８参照）を表示させる（ステップＳ２Ｃ）。なお、点検箇所選択画面Ｆ２は、本発明に係る選択画面に相当する。当該点検箇所選択画面Ｆ２は、ステップＳ２Ｃ以降、本制御フロー（ステップＳ２Ａ〜Ｓ２Ｌ）を終了するまで常時、第１表示部３５に表示されている。なお、施設選択操作が無い場合（ステップＳ２Ｂ：Ｎｏ）には、第１制御部３１は、ステップＳ２Ｂを繰り返す。
【００３９】
図８は、点検箇所選択画面Ｆ２の一例を示す図である。
具体的に、点検箇所選択画面Ｆ２は、例えば、図８に示すように、１つの道路附属物における全ての点検箇所の名称が記載されているとともに、当該全ての点検箇所毎に、点検の対象有無（有／無）、点検状況（実施済／未実施）、損傷程度の評価区分（損傷が認められない／損傷が認められる／損傷が大きい）、対策の要否（要／否）、及び健全性の診断区分（健全／予防保全段階／早期措置段階／緊急措置段階）それぞれの選択を促すコンボボックスＣＢが設けられた画面である。ここで、点検箇所選択画面Ｆ２において、点検箇所の名称が記載された領域Ａｒ１は、本発明に係る名称画像に相当する。
【００４０】
また、点検箇所選択画面Ｆ２には、点検箇所の名称が記載された領域Ａｒ１毎に、当該点検箇所の点検開始の選択を促す点検開始ボタンＢＳと当該点検箇所の点検終了の選択を促す点検終了ボタンＢＥとがそれぞれ設けられている。なお、点検開始ボタンＢＳと点検終了ボタンＢＥとは、同一のボタン（以下、点検ボタンと記載）で構成されてもよい。この構成の場合、第１制御部３１は、点検ボタンの選択回数をカウントする機能を有する。そして、第１制御部３１は、選択回数のカウントに基づいて、点検開始の選択が行われたか、または、点検終了の選択が行われたかを判断する。
そして、第１作業者は、ステップＳ２Ｃで表示された点検箇所選択画面Ｆ２を確認することにより、第１入力部３４に対して点検対象となる点検箇所の点検を開始する点検開始操作、及び当該点検箇所の点検を終了する点検終了操作を行うことが可能となる。当該点検開始操作は、本発明に係る第１操作に相当し、点検箇所選択画面Ｆ２内における複数の点検開始ボタンＢＳのうち、点検対象となる点検箇所に応じた点検開始ボタンＢＳを選択する操作である。また、当該点検終了操作は、本発明に係る第２操作に相当し、点検箇所選択画面Ｆ２内における複数の点検終了ボタンＢＥのうち、点検対象となる点検箇所に応じた点検終了ボタンＢＥを選択する操作である。
【００４１】
さらに、点検箇所選択画面Ｆ２には、１つの道路附属物における全ての点検箇所の点検終了の選択を促す確認ボタンＢＣが設けられている。
そして、第１作業者は、ステップＳ２Ｃで表示された点検箇所選択画面Ｆ２を確認することにより、第１入力部３４に対して１つの道路附属物における全ての点検箇所の点検を終了する確認操作を行うことが可能となる。当該確認操作は、点検箇所選択画面Ｆ２内における確認ボタンＢＣを選択する操作である。
【００４２】
ステップＳ２Ｃの後、第１制御部３１は、第１作業者による第１入力部３４への点検開始操作が有ったか否かを常時、監視する（ステップＳ２Ｄ）。
点検開始操作が有ったと判断した場合（ステップＳ２Ｄ：Ｙｅｓ）には、第１制御部３１は、当該点検開始操作により選択された点検開始ボタンＢＳに対応する点検箇所の点検箇所固有情報と、当該点検箇所の点検開始時刻（例えばステップＳ２Ｄで点検開始操作が有った時刻）とを特定する（ステップＳ２Ｅ）。なお、点検開始操作が無い場合（ステップＳ２Ｄ：Ｎｏ）には、第１制御部３１は、ステップＳ２Ｄを繰り返す。
【００４３】
ステップＳ２Ｅの後、第１制御部３１は、第１作業者による第１入力部３４への点検終了操作が有ったか否かを常時、監視する（ステップＳ２Ｆ）。
点検終了操作が有ったと判断した場合（ステップＳ２Ｆ：Ｙｅｓ）には、第１制御部３１は、当該点検終了操作により選択された点検終了ボタンＢＳに対応する点検箇所の点検箇所固有情報と、当該点検箇所の点検終了時刻（例えばステップＳ２Ｆで点検終了操作が有った時刻）とを特定する（ステップＳ２Ｇ）。なお、点検終了操作が無い場合（ステップＳ２Ｆ：Ｎｏ）には、第１制御部３１は、ステップＳ２Ｆを繰り返す。
【００４４】
ここで、第１作業者は、点検対象となる点検箇所に応じた点検開始操作（ステップＳ２Ｄ）を行った後、第２作業者に対して当該点検箇所の撮影を指示する。また、第２作業者は、当該点検箇所の撮影を終了した後、当該撮影を終了した旨を第１作業者に伝える。そして、第１作業者は、第２作業者から当該撮影を終了した旨の連絡が有った後、当該点検箇所に応じた点検終了操作（ステップＳ２Ｆ）を行う。すなわち、点検箇所を撮影した撮影画像（ステップＳ１Ｂで生成された撮影画像）には、ステップＳ１Ｃにおいて、当該点検箇所に応じた点検開始操作から点検終了操作までの期間（ステップＳ２Ｄ〜Ｓ２Ｆの期間）内の撮影時刻が関連付けられる。
【００４５】
また、第１作業者は、当該点検箇所に応じた点検開始操作から点検終了操作までの期間において、第１表示部３５に表示された点検箇所選択画面Ｆ２を確認しながら、コンボボックスＣＢを操作し、当該点検箇所について、点検の対象有無、点検状況、損傷程度の評価区分、対策の要否、及び健全性の診断区分をそれぞれ選択する。そして、ステップＳ２Ｇの後、第１制御部３１は、当該選択された点検の対象有無、点検状況、損傷程度の評価区分、対策の要否、及び健全性の診断区分の点検結果情報をステップＳ２Ｅ，Ｓ２Ｆで特定した点検箇所固有情報と同一の点検箇所固有情報に関連付けて点検結果票データＤ１２に登録する（ステップＳ２Ｈ）。なお、コンボボックスＣＢの操作の一部または全部は、全ての点検作業が終了した後に行ってもよい。また、全ての点検作業が終了した後に、検査時に選択したコンボボックスＣＢの操作内容を修正してもよい。
【００４６】
ステップＳ２Ｈの後、第１制御部３１は、第１記録部３２に記録されたテーブルＴＢを参照し、ステップＳ２Ｅ，Ｓ２Ｇで特定した点検箇所固有情報と同一の点検箇所固有情報が当該テーブルＴＢに登録されているか否かを判定する（ステップＳ２Ｉ）。
図９は、テーブルＴＢの一例を示す図である。
ここで、第１記録部３２には、テーブルＴＢ（図９）が記録されている。
テーブルＴＢは、道路附属物毎に複数、設けられている。このテーブルＴＢには、点検箇所の点検箇所固有情報と当該点検箇所の点検開始時刻及び点検終了時刻を示すタイムスタンプとが関連付けられた点検関連情報が点検箇所毎に複数、登録される。図９の例では、１つの道路附属物における全ての点検箇所が第１〜第６点検箇所の６箇所とされ、テーブルＴＢには、当該第１〜第６点検箇所にそれぞれ対応する６つの点検関連情報ＤＡ１〜ＤＡ６が登録されている。以下、６つの点検関連情報ＤＡ１〜ＤＡ６のうち、点検関連情報ＤＡ１，ＤＡ２，ＤＡ５について説明する。
【００４７】
点検関連情報ＤＡ１は、点検箇所固有情報ＩＤ１と、点検開始時刻ＳＴ１及び点検終了時刻ＥＮ１を示すタイムスタンプと、点検開始時刻ＳＴ１´及び点検終了時刻ＥＮ１´を示すタイムスタンプとが関連付けられた情報である。
ここで、点検箇所固有情報ＩＤ１は、第１点検箇所に対して実行された１回目のステップＳ２Ｅ，Ｓ２Ｇで特定された点検箇所固有情報である。また、点検開始時刻ＳＴ１及び点検終了時刻ＥＮ１を示すタイムスタンプは、第１点検箇所に対して実行された１回目のステップＳ２Ｅ，Ｓ２Ｇで特定されたタイムスタンプである。さらに、点検開始時刻ＳＴ１´及び点検終了時刻ＥＮ１´を示すタイムスタンプは、第１点検箇所に対して実行された２回目のステップＳ２Ｅ，Ｓ２Ｇで特定されたタイムスタンプである。
【００４８】
点検関連情報ＤＡ２は、点検箇所固有情報ＩＤ２と、点検開始時刻ＳＴ２及び点検終了時刻ＥＮ２を示すタイムスタンプとが関連付けられた情報である。
ここで、点検箇所固有情報ＩＤ２は、第２点検箇所に対して実行された１回目のステップＳ２Ｅ，Ｓ２Ｇで特定された点検箇所固有情報である。また、点検開始時刻ＳＴ２及び点検終了時刻ＥＮ２を示すタイムスタンプは、第２点検箇所に対して実行された１回目のステップＳ２Ｅ，Ｓ２Ｇで特定されたタイムスタンプである。なお、他の点検関連情報ＤＡ３，ＤＡ４，ＤＡ６も点検関連情報ＤＡ２と同様の構成を有している。
【００４９】
点検関連情報ＤＡ５は、点検箇所固有情報ＩＤ５と、点検開始時刻ＳＴ５及び点検終了時刻ＥＮ５を示すタイムスタンプと、点検開始時刻ＳＴ５´及び点検終了時刻ＥＮ５´を示すタイムスタンプと、点検開始時刻ＳＴ５´´及び点検終了時刻ＥＮ５´´を示すタイムスタンプとが関連付けられた情報である。
ここで、点検箇所固有情報ＩＤ５は、第５点検箇所に対して実行された１回目のステップＳ２Ｅ，Ｓ２Ｇで特定された点検箇所固有情報である。また、点検開始時刻ＳＴ５及び点検終了時刻ＥＮ５を示すタイムスタンプは、第５点検箇所に対して実行された１回目のステップＳ２Ｅ，Ｓ２Ｇで特定されたタイムスタンプである。さらに、点検開始時刻ＳＴ５´及び点検終了時刻ＥＮ５´を示すタイムスタンプは、第５点検箇所に対して実行された２回目のステップＳ２Ｅ，Ｓ２Ｇで特定されたタイムスタンプである。また、点検開始時刻ＳＴ５´´及び点検終了時刻ＥＮ５´´を示すタイムスタンプは、第５点検箇所に対して実行された３回目のステップＳ２Ｅ，Ｓ２Ｇで特定されたタイムスタンプである。
【００５０】
以下、図９の例を基に、ステップＳ２Ｊ，Ｓ２Ｋについて説明する。
ここで、以下の第１の場合を想定する。
第１の場合とは、第１点検箇所に対して実行された１回目のステップＳ２Ｅ，Ｓ２Ｇにおいて、点検箇所固有情報ＩＤ１、点検開始時刻ＳＴ１、及び点検終了時刻ＥＮ１を特定した場合である。また、第１の場合は、１回目のステップＳ２Ｅ，Ｓ２Ｇの前に、点検関連情報ＤＡ１がテーブルＴＢに登録されていない場合である。
【００５１】
第１の場合には、第１制御部３１は、１回目のステップＳ２Ｅ，Ｓ２Ｇで特定した点検箇所固有情報ＩＤ１と同一の点検箇所固有情報ＩＤ１がテーブルＴＢに登録されていないと判定する（ステップＳ２Ｉ：Ｎｏ）。そして、第１制御部３１は、１回目のステップＳ２Ｅ，Ｓ２Ｇで特定した点検箇所固有情報ＩＤ１と点検開始時刻ＳＴ１及び点検終了時刻ＥＮ１を示すタイムスタンプとを関連付けて新たな点検関連情報ＤＡ１としてテーブルＴＢに登録する（ステップＳ２Ｊ）。
なお、第１の場合において、１回目のステップＳ２Ｅ，Ｓ２Ｇで特定した点検箇所固有情報ＩＤ１は、本発明に係る第２固有情報に相当する。また、１回目のステップＳ２Ｅ，Ｓ２Ｇで特定した点検開始時刻ＳＴ１及び点検終了時刻ＥＮ１を示すタイムスタンプは、本発明に係る第２時刻情報に相当する。
【００５２】
また、以下の第２の場合を想定する。
第２の場合とは、第１点検箇所に対して実行された２回目のステップＳ２Ｅ，Ｓ２Ｇにおいて、点検箇所固有情報ＩＤ１、点検開始時刻ＳＴ１´、及び点検終了時刻ＥＮ１´を特定した場合である。すなわち、第２の場合は、２回目のステップＳ２Ｅ，Ｓ２Ｇの前に、点検関連情報ＤＡ１がテーブルＴＢに登録されているが、当該点検関連情報ＤＡ１に点検開始時刻ＳＴ１´及び点検終了時刻ＥＮ１´のタイムスタンプが含まれていない場合である。
【００５３】
第２の場合には、第１制御部３１は、２回目のステップＳ２Ｅ，Ｓ２Ｇで特定した点検箇所固有情報ＩＤ１と同一の点検箇所固有情報ＩＤ１がテーブルＴＢに登録されていると判定する（ステップＳ２Ｉ：Ｙｅｓ）。そして、第１制御部３１は、２回目のステップＳ２Ｅ，Ｓ２Ｇで特定した点検箇所固有情報ＩＤ１と同一の点検箇所固有情報ＩＤ１に対して当該２回目のステップＳ２Ｅ，Ｓ２Ｇで特定した点検開始時刻ＳＴ１´及び点検終了時刻ＥＮ１´を示すタイムスタンプを関連付けて点検関連情報ＤＡ１を更新する（ステップＳ２Ｋ）。
なお、第２の場合において、２回目のステップＳ２Ｅ，Ｓ２Ｇの前にテーブルＴＢに登録されている点検関連情報ＤＡ１に含まれる点検箇所固有情報ＩＤ１は、本発明に係る第１固有情報に相当する。また、２回目のステップＳ２Ｅ，Ｓ２Ｇの前にテーブルＴＢに登録されている点検関連情報ＤＡ１に含まれる点検開始時刻ＳＴ１及び点検終了時刻ＥＮ１を示すタイムスタンプは、本発明に係る第１時刻情報に相当する。さらに、２回目のステップＳ２Ｅ，Ｓ２Ｇで特定した点検箇所固有情報ＩＤ１は、本発明に係る第２固有情報に相当する。また、２回目のステップＳ２Ｅ，Ｓ２Ｇで特定した点検開始時刻ＳＴ１´及び点検終了時刻ＥＮ１´を示すタイムスタンプは、本発明に係る第２時刻情報に相当する。
【００５４】
ステップＳ２ＪまたはステップＳ２Ｋの後、第１制御部３１は、第１作業者による第１入力部３４への確認操作が有ったか否かを判断する（ステップＳ２Ｌ）。
確認操作が無いと判断した場合（ステップＳ２Ｌ：Ｎｏ）には、第１制御部３１は、ステップＳ２Ｄに戻る。
一方、確認操作が有ったと判断した場合（ステップＳ２Ｌ：Ｙｅｓ）には、第１制御部３１は、本制御フロー（第１動作）を終了する。
【００５５】
〔点検支援装置の第２動作〕
次に、点検支援装置３の第２動作について説明する。
図１０は、点検支援装置３の第２動作を示すフローチャートである。
先ず、第１制御部３１は、第１通信部３３を介して撮影装置２における第２記録部２２に記録された撮影データを受信する（ステップＳ２Ｍ）。なお、第２動作としては、第１動作の後に続けて実行する構成としてもよく、第１動作の後、当該第１動作とは独立して実行する構成としてもよい。第２動作を第１動作の後に続けて実行する構成では、例えば、確認操作が有ったことをトリガとしてステップＳ２Ｍが実行される。また、第１動作の後、当該第１動作とは独立して第２動作を実行する構成では、例えば、ユーザによる第１入力部３４への所定の操作をトリガとしてステップＳ２Ｍが実行される。
【００５６】
ステップＳ２Ｍの後、第１制御部３１は、第１記録部３２に記録されたテーブルＴＢに登録された点検箇所固有情報に対してステップＳ２Ｍで受信した撮影データにおける撮影画像を関連付けて点検関連情報を更新する（ステップＳ２Ｎ）。
【００５７】
図１１は、ステップＳ２Ｎを説明する図である。具体的に、図１１は、テーブルＴＢの一例を示す図である。なお、図１１は、図９に対応させた図としている。また、図１１では、説明の便宜上、点検関連情報ＤＡ１〜ＤＡ６において、タイムスタンプの図示を省略している。さらに、図１１において、撮影画像ＩＭ１〜ＩＭ３５は、当該撮影画像ＩＭ１〜ＩＭ３５の順に撮影されたものである。より具体的に、撮影画像ＩＭ１〜ＩＭ５は、点検開始時刻ＳＴ１から点検終了時刻ＥＮ１までの期間内にそれぞれ撮影された撮影画像である。撮影画像ＩＭ６〜ＩＭ１１は、点検開始時刻ＳＴ２から点検終了時刻ＥＮ２までの期間内にそれぞれ撮影された撮影画像である。撮影画像ＩＭ１２〜ＩＭ１４は、点検開始時刻ＳＴ３から点検終了時刻ＥＮ３までの期間内にそれぞれ撮影された撮影画像である。撮影画像ＩＭ１５〜ＩＭ２０は、点検開始時刻ＳＴ４から点検終了時刻ＥＮ４までの期間内にそれぞれ撮影された撮影画像である。撮影画像ＩＭ２１，ＩＭ２２は、点検開始時刻ＳＴ５から点検終了時刻ＥＮ５までの期間内にそれぞれ撮影された撮影画像である。撮影画像ＩＭ２３〜ＩＭ２８は、点検開始時刻ＳＴ６から点検終了時刻ＥＮ６までの期間内にそれぞれ撮影された撮影画像である。撮影画像ＩＭ２９〜ＩＭ３１は、点検開始時刻ＳＴ１´から点検終了時刻ＥＮ１´までの期間内にそれぞれ撮影された撮影画像である。撮影画像ＩＭ３２，ＩＭ３３は、点検開始時刻ＳＴ５´から点検終了時刻ＥＮ５´までの期間内にそれぞれ撮影された撮影画像である。撮影画像ＩＭ３４，ＩＭ３５は、点検開始時刻ＳＴ５´´から点検終了時刻ＥＮ５´´までの期間内にそれぞれ撮影された撮影画像である。
【００５８】
以下、図１１の例を基に、ステップＳ２Ｎについて説明する。
第１制御部３１は、テーブルＴＢに登録されている各点検関連情報ＤＡ１〜ＤＡ６に含まれるタイムスタンプと、ステップＳ２Ｍで受信した撮影データに含まれる撮影時刻とを照合する。そして、第１制御部３１は、点検開始時刻から点検終了時刻までの期間内の撮影時刻が関連付けられた撮影画像を当該点検開始時刻及び当該点検終了時刻を示すタイムスタンプが関連付けられた点検固有情報に対して関連付けて点検関連情報を更新する。
例えば、撮影画像ＩＭ１〜ＩＭ５には、点検開始時刻ＳＴ１から点検終了時刻ＥＮ１までの期間内の撮影時刻がそれぞれ関連付けられている。また、撮影画像ＩＭ２９〜ＩＭ３１には、点検開始時刻ＳＴ１´から点検終了時刻ＥＮ１´までの期間内の撮影時刻がそれぞれ関連付けられている。このため、第１制御部３１は、点検箇所固有情報ＩＤ１に対して撮影画像ＩＭ１〜ＩＭ５，ＩＭ２９〜ＩＭ３１を関連付けて点検関連情報ＤＡ１を更新する。同様に、第１制御部３１は、点検箇所固有情報ＩＤ２に対して撮影画像ＩＭ６〜ＩＭ１１を関連付けて点検関連情報ＤＡ２を更新する。また、第１制御部３１は、点検箇所固有情報ＩＤ３に対して撮影画像ＩＭ１２〜ＩＭ１４を関連付けて点検関連情報ＤＡ３を更新する。さらに、第１制御部３１は、点検箇所固有情報ＩＤ４に対して撮影画像ＩＭ１５〜ＩＭ２０を関連付けて点検関連情報ＤＡ４を更新する。また、第１制御部３１は、点検箇所固有情報ＩＤ５に対して撮影画像ＩＭ２１，ＩＭ２２，ＩＭ３２〜ＩＭ３５を関連付けて点検関連情報ＤＡ５を更新する。さらに、第１制御部３１は、点検箇所固有情報ＩＤ６に対して撮影画像ＩＭ２３〜ＩＭ２８を関連付けて点検関連情報ＤＡ６を更新する。
【００５９】
ステップＳ２Ｎの後、第１制御部３１は、ステップＳ２Ｈで点検結果情報を登録した点検結果票データＤ１２、及びステップＳ２Ｎで更新した各点検関連情報に基づいて、部材毎の部材情報を損傷記録票データＤ１３に登録する（ステップＳ２Ｏ）。この後、第１制御部３１は、本制御フロー（第２動作）を終了する。
具体的に、第１制御部３１は、ステップＳ２Ｏにおいて、所定の部材の部材情報を登録する際、点検結果票データＤ１２に登録され、当該部材の部材固有情報に関連する点検固有情報に関連付けられた点検結果情報と、テーブルＴＢに登録され、当該部材固有情報に関連する点検固有情報に関連付けられた撮影画像とを当該部材固有情報に関連付けて部材情報として損傷記録票データＤ１３に登録する。
【００６０】
また、第１制御部３１は、第１作業者による第１入力部３４への損傷記録票の表示操作が有った場合に、第１表示部３５の動作を制御し、部材情報に基づく損傷記録票Ｆ３（図１２参照）を当該第１表示部３５に表示させる。当該損傷記録票の表示操作は、点検箇所選択画面Ｆ２内における複数の領域Ａｒ１のうち、第１作業者が確認を希望する部材に応じた領域Ａｒ１を選択する操作である。
【００６１】
図１２は、損傷記録票Ｆ３の一例を示す図である。
損傷記録票Ｆ３には、例えば、図１２に示すように、部材名称、部材全体としての損傷程度の評価結果、及び当該部材の措置内容等の情報と、当該部材に対して割り当てられた複数の点検箇所を撮影した撮影画像とが載せられる。
【００６２】
以上説明した本実施の形態１によれば、以下の効果を奏する。
本実施の形態１に係る第１制御部３１は、上述した第１，第２の動作（図５，図１０）を実行する。このため、１つの道路附属物における全ての点検箇所の点検を完了した後、いずれかの点検箇所を追加で撮影した撮影画像を当該点検箇所に応じた損傷記録票Ｆ３に追加することができる。
以下、上述した第２の場合を例に具体的に説明する。
第１作業者は、１つの道路附属物における全ての点検箇所の点検を完了した後（１回目のステップＳ２Ａ〜Ｓ２Ｏが実行された後）、撮影装置２を用いて第１点検箇所を追加で撮影する前に、第１入力部３４に対して当該第１点検箇所に応じた点検開始操作を行う。また、第１作業者は、当該第１点検箇所を追加で撮影した後、第１入力部３４に対して当該第１点検箇所に応じた点検終了操作を行う。これにより、ステップＳ２Ｋにおいて、当該点検開始操作に応じた点検開始時刻ＳＴ１´、及び当該点検終了操作に応じた点検終了時刻ＥＮ１´を示すタイムスタンプが点検箇所固有情報ＩＤ１に対して関連付けられる。また、第１点検箇所を追加で撮影した撮影画像は、点検開始時刻ＳＴ１´から点検終了時刻ＥＮ１´までの期間内の撮影時刻が関連付けられた撮影画像ＩＭ２９〜ＩＭ３１（図１１）となる。すなわち、当該撮影画像ＩＭ２９〜ＩＭ３１は、２回目のステップＳ２Ｎにおいて、図１１に示すように、１回目のステップＳ２Ａ〜Ｓ２Ｏが実行されることで点検箇所固有情報ＩＤ１に関連付けられた撮影画像ＩＭ１〜ＩＭ５と同様に、当該点検箇所固有情報ＩＤ１に関連付けられることとなる。このため、２回目のステップＳ２Ｏにおいて、第１点検箇所における既に入力済みの点検結果及び既に撮影済みの撮影画像ＩＭ１〜ＩＭ５とともに追加で撮影した撮影画像ＩＭ２９〜ＩＭ３１が１つの損傷記録票Ｆ３として纏められることとなる。
以上のことから、本実施の形態１に係る点検支援システム１によれば、点検時において、利便性の高い支援を行うことができる。
【００６３】
（実施の形態２）
次に、本実施の形態２について説明する。
以下の説明では、上述した実施の形態１と同様の構成に同一の符号を付し、その詳細な説明を省略または簡略化する。
本実施の形態２では、上述した実施の形態１に対して、第１制御部３１に対して点検支援機能を追加した点が異なるのみである。当該点検支援機能は、第１動作において実行される。以下、点検支援装置３の第１動作について説明する。
【００６４】
〔点検支援装置の第１動作〕
図１３は、本実施の形態２に係る第１動作を示すフローチャートである。
本実施の形態２に係る第１動作では、図１３に示すように、上述した実施の形態１で説明した第１動作（図５）に対して、ステップＳ２Ｐ〜Ｓ２Ｓが追加されている点が異なるのみである。このため、以下では、ステップＳ２Ｐ〜Ｓ２Ｓについてのみ説明する。
ステップＳ２Ｐは、ステップＳ２Ｌにおいて確認操作が有ったと判断された場合（ステップＳ２Ｌ：Ｙｅｓ）に実行される。
具体的に、第１制御部３１は、ステップＳ２Ｐにおいて、テーブルＴＢに登録されている点検対象とする１つの道路附属物の全ての点検箇所に応じた各点検関連情報毎（全ての点検箇所毎）に、当該点検関連情報に含まれるタイムスタンプに基づいて、点検箇所の点検に要した総点検時間をそれぞれ算出する。
【００６５】
図９に示した例では、第１制御部３１は、点検関連情報ＤＡ１（第１点検箇所）に対して、点検開始時刻ＳＴ１から点検終了時刻ＥＮ１までの時間と、点検開始時刻ＳＴ１´から点検終了時刻ＥＮ１´までの時間とを加えた時間を総点検時間として算出する。また、第１制御部３１は、点検関連情報ＤＡ２（第２点検箇所）に対して、点検開始時刻ＳＴ２から点検終了時刻ＥＮ２までの時間を総点検時間として算出する。さらに、第１制御部３１は、点検関連情報ＤＡ３（第３点検箇所）に対して、点検開始時刻ＳＴ３から点検終了時刻ＥＮ３までの時間を総点検時間として算出する。また、第１制御部３１は、点検関連情報ＤＡ４（第４点検箇所）に対して、点検開始時刻ＳＴ４から点検終了時刻ＥＮ４までの時間を総点検時間として算出する。さらに、第１制御部３１は、点検関連情報ＤＡ５（第５点検箇所）に対して、点検開始時刻ＳＴ５から点検終了時刻ＥＮ５までの時間と、点検開始時刻ＳＴ５´から点検終了時刻ＥＮ５´までの時間と、点検開始時刻ＳＴ５´´から点検終了時刻ＥＮ５´´までの時間とを加えた時間を総点検時間として算出する。また、第１制御部３１は、点検関連情報ＤＡ６（第６点検箇所）に対して、点検開始時刻ＳＴ６から点検終了時刻ＥＮ６までの時間を総点検時間として算出する。
【００６６】
ステップＳ２Ｐの後、第１制御部３１は、ステップＳ２Ｐで算出した各点検箇所の各総点検時間と、当該各点検箇所にそれぞれ応じた各基準時間とをそれぞれ比較する（ステップＳ２Ｑ）。
ここで、基準時間としては、前回（過去）の点検において点検箇所の点検に要した総点検時間や、点検箇所の点検に要する想定時間等を例示することができる。
【００６７】
図１４は、ステップＳ２Ｑでの比較結果の一例を示す図である。なお、図１４は、図９に対応させた図としている。また、図１４において、縦軸は、総点検時間及び基準時間を示している。そして、図１４では、第１〜第６点検箇所の各基準時間を棒グラフで示している。また、ステップＳ２Ｐで算出された第１〜第６点検箇所の各総点検時間を黒丸で表現している。
図１４に示す例では、ステップＳ２Ｐで算出された第１〜第５点検箇所の各総点検時間は、当該第１〜第５点検箇所の各基準時間よりも多い時間となっている。一方、ステップＳ２Ｐで算出された第６点検箇所の総点検時間は、当該第６点検箇所の基準時間よりも少ない時間となっている。
【００６８】
ステップＳ２Ｑの後、第１制御部３１は、ステップＳ２Ｑでの比較結果に基づいて、１つの道路附属物における全ての点検箇所のうち、基準時間よりも少ない総点検時間となった点検箇所が有るか否かを判定する（ステップＳ２Ｒ）。
基準時間よりも少ない総点検時間となった点検箇所がないと判定した場合（ステップＳ２Ｒ：Ｎｏ）には、第１制御部３１は、本制御フロー（第１動作）を終了する。
【００６９】
一方、基準時間よりも少ない総点検時間となった点検箇所が有ると判定した場合（ステップＳ２Ｒ：Ｙｅｓ）には、第１制御部３１は、基準時間よりも少ない総点検時間となった点検箇所の再点検を促す点検支援情報を生成する。そして、第１制御部３１は、第１表示部３５の動作を制御し、当該点検支援情報を当該第１表示部３５に表示させる（ステップＳ２Ｓ）。この後、第１制御部３１は、ステップＳ２Ｄに戻る。
図１５は、点検支援情報Ｆ４の一例を示す図である。具体的に、図１５は、図９及び図１４に対応させた図としている。
図１５に示す例では、第１制御部３１は、点検支援情報Ｆ４として、基準時間よりも少ない総点検時間となった第６点検箇所の再点検を促すメッセージ画像を生成している。なお、図１４に示す比較結果を本発明に係る点検支援情報として第１表示部３５に表示してもよい。
【００７０】
以上説明した本実施の形態２によれば、上述した実施の形態１と同様の効果の他、以下の効果を奏する。
本実施の形態２に係る第１制御部３１は、上述したステップＳ２Ｐ〜Ｓ２Ｓ（図１３）を実行する。このため、第１作業者は、１つの道路附属物における全ての点検箇所の点検を完了した後、第１表示部３５に表示された点検支援情報Ｆ４を確認することで、撮影を忘れた点検箇所（図１５の例では第６点検箇所）、あるいは、撮影が不十分な点検箇所（図１５の例では第６点検箇所）を認識することができる。すなわち、第１，第２作業者は、１つの道路附属物における全ての点検箇所の点検を完了した後、当該道路附属物が存在する現場から離れる前に、該当する点検箇所（図１５の例では第６点検箇所）を追加で撮影することができる。
したがって、本実施の形態２によれば、点検時において、さらに利便性の高い支援を行うことができる。
【００７１】
（実施の形態３）
次に、本実施の形態３について説明する。
以下の説明では、上述した実施の形態１と同様の構成に同一の符号を付し、その詳細な説明を省略または簡略化する。なお、本実施の形態３では、撮影装置２と点検支援装置３との間において直接的にデータの送受信を行わない。よって、本実施の形態３では、撮影装置２と作業端末装置４との間における通信と、点検支援装置３と作業端末装置４との間における通信とを行い、上述した実施の形態１のように、第１通信部３３と第２通信部２３との間で無線または有線によって行う通信機能を有さない。また、詳細は後述するが、点検箇所固有情報に対して撮影画像を関連付ける処理は、点検支援装置３では行わず、作業端末装置４で行う。
図１６は、本実施の形態３に係る点検支援システム１Ａを示す図である。
本実施の形態３に係る点検支援システム１Ａは、図１６に示すように、上述した実施の形態１で説明した点検支援システム１に対して、作業端末装置４が追加されている。
【００７２】
〔作業端末装置の構成〕
図１７は、作業端末装置４の構成を示すブロック図である。
作業端末装置４は、例えば、ノートパソコン、デスクトップパソコン等の一般的なＰＣで構成されている。この作業端末装置４は、図１７に示すように、第３制御部４１と、第３記録部４２と、第３通信部４３と、第３入力部４４と、第３表示部４５とを備え、当該各部４１〜４５がバス４６を介して接続された構成である。
【００７３】
第３制御部４１は、ＣＰＵやＦＰＧＡ等で構成され、第３記録部４２に記録されたプログラムにしたがって、作業端末装置４全体の動作を制御する。ここで、第３制御部４１は、本発明に係る関連付け部としての機能を有する。なお、第３制御部４１の機能については、後述する「作業端末装置の動作」において説明する。
第３記録部４２は、第３制御部４１が実行するプログラム、当該第３制御部４１の処理に必要な情報、当該第３制御部４１が処理した情報等を記録する。ここで、第３記録部４２には、第１記録部３２に記録された点検データＤ１と同様の点検データが記録されている。
【００７４】
第３通信部４３は、第３制御部４１による制御の下、撮影装置２（第１通信部２３）との間、及び点検支援装置３（第１通信部３３）との間で、各種データの無線通信を所定のプロトコルに従って行う。
第３入力部４４は、ユーザ操作を受け付けるボタン、スイッチ、タッチパネル等で構成され、当該ユーザ操作に応じた操作信号を第３制御部４１に出力する。
第３表示部４５は、液晶または有機ＥＬ等を用いた表示ディスプレイで構成され、第３制御部４１による制御の下、種々の画像を表示する。
【００７５】
〔作業端末装置の動作〕
次に、上述した作業端末装置４の動作について説明する。
図１８は、作業端末装置４の動作を示すフローチャートである。
なお、作業端末装置４は、上述した実施の形態１で説明した点検支援装置３の第２動作を行うものである。
先ず、第３制御部４１は、第３通信部４３を介して点検支援装置３の点検結果票データＤ１２に登録された点検結果情報（ステップＳ２Ｈで登録された情報）、及びテーブルＴＢに登録された全ての点検関連情報を受信する（ステップＳ３Ａ）。
【００７６】
ステップＳ３Ａの後、第３制御部４１は、ステップＳ２Ｈと同様に、ステップＳ３Ａで受信した点検結果情報を第３記録部４２に記録された点検結果票データに登録する（ステップＳ３Ｂ）。これにより、第１記録部３２に記録された点検結果票データＤ１２と、第３記録部４２に記録された点検結果票データとが同一のデータとなる。
ステップＳ３Ｂの後、第３制御部４１は、第３通信部４３を介して撮影装置２における第２記録部２２に記憶された撮影データを受信する（ステップＳ３Ｃ）。
【００７７】
ステップＳ３Ｃの後、第３制御部４１は、ステップＳ２Ｎと同様に、ステップＳ３Ａで受信した各点検関連情報に含まれる点検箇所固有情報に対してステップＳ３Ｃで受信した撮影データにおける撮影画像を関連付けて当該各点検関連情報を更新する（ステップＳ３Ｄ）。
ステップＳ３Ｄの後、第３制御部４１は、ステップＳ２Ｏと同様に、第３記録部４２に記録され、ステップＳ３Ｂで点検結果情報を登録した点検結果票データ、及びステップＳ３Ｄで更新した各点検関連情報に基づいて、部材毎の部材情報を第３記録部４２に記録された損傷記録票データに登録する（ステップＳ３Ｅ）。この後、第３制御部４１は、本制御フローを終了する。
【００７８】
また、第３制御部４１は、上述した実施の形態１と同様に、第３入力部４４への損傷記録票の表示操作が有った場合に、第３表示部４５の動作を制御し、第３記録部４２に記録された部材情報に基づく損傷記録票を当該第３表示部４５に表示させる。
【００７９】
〔点検箇所固有情報に対して撮影画像を関連付ける処理について〕
ところで、撮影装置２の時刻と点検支援装置３の時刻とに差がある場合には、撮影画像が対応する点検開始時刻と点検終了時刻との間に入らずにずれが生じてしまい、点検箇所固有情報に対して撮影画像を関連付ける処理が正しく行われない可能性がある。
以下、撮影装置２の時刻と点検支援装置３の時刻とを同期させる方法を説明する。
点検を開始する前に、撮影装置２と点検支援装置３との間において時刻を同期させる処理を行う。例えば、撮影装置２の時刻設定機能と点検支援装置３の時刻設定機能とを利用して、撮影装置２と点検支援装置３との時刻を同期させる処理を行う。このようにして、撮影装置２と点検支援装置３との間において時刻を同期させておけば、点検箇所固有情報に対して撮影画像を関連付ける処理を正しく行うことができる。
【００８０】
また、撮影装置２の時刻と点検支援装置３の時刻とを同期させなくても、撮影装置２の時刻と点検支援装置３の時刻との差を利用する構成でもよい。
例えば、点検を開始する前に、点検支援装置３の第１表示部３５に所定の画像を表示し、当該所定の画像を撮影装置２で撮影する。このとき、点検支援装置３は、所定の画像を表示した時刻ｔ１を記憶しておく。
作業端末装置４は、点検支援装置３により所定の画像を表示した時刻ｔ１と、撮影装置２により所定の画像を撮影した時刻ｔ２とに基づいて、オフセット時刻Δｔ（ｔ１−ｔ２）を算出する。そして、作業端末装置４は、算出したオフセット時刻Δｔを利用して、点検箇所固有情報に対して撮影画像を関連付ける処理を行う。なお、上述した実施の形態１，２において当該オフセット時刻Δｔを利用して点検箇所固有情報に対して撮影画像を関連付ける処理を行う場合には、点検支援装置３が当該処理を行う。
【００８１】
以上説明した本実施の形態３のように作業端末装置４によって第２動作を行う構成を採用した場合であっても、上述した実施の形態１と同様の効果を奏する。
【００８２】
（その他の実施形態）
ここまで、本発明を実施するための形態を説明してきたが、本発明は上述した実施の形態１〜３によってのみ限定されるべきものではない。
上述した実施の形態１〜３では、点検箇所選択画面Ｆ２において、点検開始ボタンＢＳ及び点検終了ボタンＢＥは、点検箇所毎にそれぞれ設けられていたが、これに限らない。例えば、全ての点検箇所に共通の点検開始ボタンＢＳ及び点検終了ボタンＢＥをそれぞれ１つのみ設けた構成を採用しても構わない。この際、第１作業者は、第１入力部３４により、点検箇所選択画面Ｆ２内における複数の領域Ａｒ１のうち、点検対象とする点検箇所に応じた領域Ａｒ１を選択する。これにより、第１制御部３１は、当該点検箇所の点検箇所固有情報を特定する。次に、第１作業者は、当該点検箇所の点検を開始する際には、全ての点検箇所に共通の１つのみの点検開始ボタンＢＳを選択する。これにより、第１制御部３１は、当該点検箇所の点検開始時刻を特定する。次に、第１作業者は、当該点検箇所の点検を終了する際には、全ての点検箇所に共通の１つのみの点検終了ボタンＢＥを選択する。これにより、第１制御部３１は、当該点検箇所の点検終了時刻を特定する。
【００８３】
上述した実施の形態１〜３において、点検支援装置３の第１撮影部３６にて点検箇所を撮影し、第１制御部３１が撮影装置２の動作（図４）を実行する構成を採用しても構わない。このように構成した場合には、本願発明の構成を１台の点検支援装置３で構成することができる。
【００８４】
上述した実施の形態２では、第１制御部３１は、１つの道路附属物における全ての点検箇所に応じた点検関連情報毎に、総点検時間をそれぞれ算出し、当該各総点検時間と各基準時間とを比較することで点検支援情報を生成していたが、これに限らない。例えば、１つの道路附属物における全ての点検箇所の点検に要した総点検時間を算出し、当該総点検時間と基準時間とを比較することで点検支援情報を生成するように第１制御部３１を構成しても構わない。
【００８５】
上述した実施の形態２では、第１制御部３１は、第１入力部３４に対して１つの道路附属物における全ての点検箇所の点検を終了する確認操作（確認ボタンＢＣの選択）が行われたことをトリガとして、当該全ての点検箇所に応じた点検関連情報毎に、総点検時間をそれぞれ算出していたが、これに限らない。例えば、第１入力部３４に対して１つの点検箇所の点検を終了する点検終了操作（１つの点検終了ボタンＢＥの選択）が行われたことをトリガとして、当該１つの点検箇所に応じた総点検時間を算出するように第１制御部３１を構成しても構わない。
【００８６】
上述した実施の形態２では、本発明に係る「点検支援情報の報知」を、メッセージ画像（図１５に示した点検支援情報Ｆ４）を表示することで行っていたが、これに限らない。例えば、図１４に示す例では、第６点検箇所の再点検を音声により報知する構成や、点検箇所選択画面Ｆ２において第６点検箇所に対応する領域Ａｒ１を点滅あるいは表示色を変更することにより当該第６点検箇所の再点検を促す構成等を採用しても構わない。
【００８７】
上述した実施の形態３に係る点検支援装置３が上述した実施の形態２で説明した第１動作を実行するように構成しても構わない。
上述した実施の形態１〜３で説明した制御フローは、図５、図１０、図１３、及び図１８の制御フローに限らず、矛盾のない範囲で順序を変更しても構わない。
【符号の説明】
【００８８】
１，１Ａ  点検支援システム
２  撮影装置
３  点検支援装置
４  作業端末装置
２１  第２制御部
２２  第２記録部
２３  第２通信部
２４  第２入力部
２５  第２表示部
２６  第２撮影部（撮影部）
２７  バス
３１  第１制御部（特定部、判定部、テーブル管理部、報知制御部）
３２  第１記録部
３３  第１通信部
３４  第１入力部（操作受付部）
３５  第１表示部（報知部、表示部）
３６  第１撮影部
３７  バス
４１  第３制御部（関連付け部）
４２  第３記録部
４３  第３通信部
４４  第３入力部
４５  第３表示部
４６  バス
Ａｒ１  領域（名称画像）
ＢＣ  確認ボタン
ＢＥ  点検終了ボタン
ＢＳ  点検開始ボタン
ＣＢ  コンボボックス
Ｄ１  点検データ
Ｄ１１  施設諸元データ
Ｄ１２  点検結果票データ
Ｄ１３  損傷記録票データ
ＤＡ１〜ＤＡ６  点検関連情報
ＥＮ１，ＥＮ１´，ＥＮ２〜ＥＮ５，ＥＮ５´，ＥＮ５´´，ＥＮ６  点検終了時刻
Ｆ１  施設選択画面
Ｆ１０ａ，Ｆ１０ｂ  道路附属物情報
Ｆ１１ａ，Ｆ１１ｂ  諸元情報
Ｆ１２ａ，Ｆ１２ｂ  全体撮影画像
Ｆ２  点検箇所選択画面（選択画面）
Ｆ３  損傷記録票
Ｆ４  点検支援情報
ＩＤ１〜ＩＤ６  点検箇所固有情報
ＩＭ１〜ＩＭ３５  撮影画像
ＳＴ１，ＳＴ１´，ＳＴ２〜ＳＴ５，ＳＴ５´，ＳＴ５´´，ＳＴ６  点検開始時刻
ＴＢ  テーブル
【図１】
2020173866.tif 000003
【図２】
2020173866.tif 000004
【図３】
2020173866.tif 000005
【図４】
2020173866.tif 000006
【図５】
2020173866.tif 000007
【図６】
2020173866.tif 000008
【図７】
2020173866.tif 000009
【図８】
2020173866.tif 000010
【図９】
2020173866.tif 000011
【図１０】
2020173866.tif 000012
【図１１】
2020173866.tif 000013
【図１２】
2020173866.tif 000014
【図１３】
2020173866.tif 000015
【図１４】
2020173866.tif 000016
【図１５】
2020173866.tif 000017
【図１６】
2020173866.tif 000018
【図１７】
2020173866.tif 000019
【図１８】
2020173866.tif 000020